(57)【要約】【課題】中古部品の広域的な情報バンクを提供すると共に、売り手側と買い手側との双方に対して決裁処理や流通処理まで含めた商取引全般の利便を図ること。【解決手段】各端末装置は、中古部品流通サーバ３とインターネット網１０を介して結ばれ、中古部品流通サーバ３は、中古部品に関する売り手側の在庫情報をプールし、このプールした在庫情報に、買い手側の注文と一致するものが有り、売買契約成立の場合、決裁機関端末装置５へ、買い手の口座からの販売代金引き落とし依頼および売り手側口座への支払い代金振込依頼決裁依頼を含む決裁依頼を送信する。また、集配業者端末装置４へ、当該注文された中古部品の集配依頼を送信する。前記サーバがプールする在庫情報は、ウエブページ上に開示されており、非会員であっても自由に閲覧可能である。【選択図】図１
2008203998.tif 000002
【特許請求の範囲】
【請求項１】
中古部品に関する在庫情報をウエブページ上で閲覧可能にすることにより、会員相互間で中古部品を広域的に流通させる中古部品流通システムであって、
ウエブページとして開示される在庫情報一覧画面、入会手続き入力画面、在庫入力画面および注文入力画面を備え、さらに、
前記在庫情報一覧画面へのアクセスがなされた時に、前記アクセスを行った端末装置に前記在庫情報一覧画面を送信する在庫情報表示手段と、
前記入会手続き入力画面を介して入力された情報を検証した上で、会員ＩＤを発行して登録する会員登録手段と、
前記在庫入力画面または前記注文入力画面へのアクセスがなされた時に、前記アクセスを行った端末装置から前記会員ＩＤを入力させることにより、本システムの会員であることを認証する会員認証手段と、
前記認証された会員の端末装置から、前記在庫入力画面を介して、当該会員が保有する中古品に関する在庫情報を入力させる在庫入力手段と、
前記在庫情報が入力された時に、当該在庫情報を前記在庫プールデータベースに格納する在庫格納手段と、
前記認証された会員の端末装置から、前記注文入力画面を介して、当該会員が買い取りを希望する中古品を指定する情報を入力させる注文入力手段と、
前記中古品を指定する情報が入力された時に、前記在庫プールデータベース上で前記情報に合致する中古部品情報を検索する在庫検索手段と、
前記検索された中古部品情報で示される中古部品に関する売買契約の締結を含む売買手続きを行う売買手続き代行手段と、
前記売買手続きがなされた前記中古部品に関する集配業務の手配を行う集配業務代行手段と、
を備えたことを特徴とする中古部品流通システム。
【請求項２】
前記会員登録手段は、
前記入会手続き入力画面を介して入力された情報を検討した上で、小売業者向けの会員ＩＤと、卸売業者向けの会員ＩＤを、それぞれ発行して登録することを特徴とする請求項１に記載の中古部品流通システム。
【請求項３】
前記売買手続き代行手段は、前記売買契約を締結させるに際し、当該会員の端末装置に対して、当該会員が個人の場合は本システムが指定する決裁金融機関が発行するＩＣカードの番号の入力を促す画面を送信し、当該会員が法人の場合は本システムが指定する決裁金融機関が管理する法人登録情報の入力を促す画面を送信し、その後、前記いずれかの画面を介して入力され、かつ応答された入力画面情報を検証することにより、分割払いを含むオンライン決裁が可能か否かの確認を行うことを特徴とする請求項１または２に記載の中古部品流通システム。
【請求項４】
前記売買手続き代行手段は、前記売買契約が締結された前記中古部品に関する情報でもって前記在庫情報一覧画面を更新することを特徴とする請求項３に記載の中古部品流通システム。
【請求項５】
前記売買手続き代行手段は、前記決裁金融機関の端末装置に対して、前記売買契約が締結された前記中古部品の代金の決裁に関する引き落とし依頼および売り手側への支払い代金の振込依頼を送信することを特徴とする請求項４に記載の中古部品流通システム。
【請求項６】
前記集配業務代行手段は、所定の集配業者端末装置に対して、前記売買手続きがなされた前記中古部品に関する集配指令を発信することを特徴とする請求項１に記載の中古部品流通システム。
【請求項７】
前記注文入力画面と前記在庫情報一覧画面とを、前記注文入力画面にアクセスした前記会員端末が備える表示装置の表示画面上で、同一ページとして表示する手段をさらに備えたことを特徴とする請求項１に記載の中古部品流通システム。
【請求項８】
前記注文入力手段により入力される前記中古品に関する情報は、当該中古品に付与されたコードである場合を許すことを特徴とする請求項１に記載の中古部品流通システム。
【請求項９】
前記コードは、前記在庫情報一覧画面において、当該部品に関する情報と対応付けて表示されることを特徴とする請求項８に記載の中古部品流通システム。
【請求項１０】
前記在庫情報一覧画面に表示される中古部品対応の各エントリの各々には、それぞれ対応する選択銘が付与され、その１つが選択された時に、当該選択された選択銘に対応するエントリ内のデータ項目が前記注文入力画面に転記されるように構成されたことを特徴とする請求項１に記載の中古部品流通システム。
【請求項１１】
前記在庫情報一覧画面に表示される中古部品対応の各エントリの各々は、その１つが選択された時に当該選択されたエントリ内のデータ項目を前記注文入力画面に転記させる機能を有していることを特徴とする請求項１に記載の中古部品流通システム。
【請求項１２】
前記中古部品は、バスを主体とする自動車の部品であることを特徴とする請求項１〜１１のいずれか１項に記載の中古部品流通システム。
【発明の詳細な説明】
【技術分野】
【０００１】
本発明は、中古部品流通システムに関し、特に、バス、トラックを含む自動車等の民生機器に使用されている部品の中古品に関する在庫情報をウエブページ上で閲覧可能にすることにより、中古部品を会員相互間で広域的に流通させる中古部品流通システムに関する。
【背景技術】
【０００２】
中古部品流通システムの背景を、バスにおける自動車部品を例にとって、その市場性の面から俯瞰すると、従来は、中古部品の在庫が少なかったため中古部品市場を築くことが難しく、よって、本格的な中古部品流通システムは実現していなかった。
従来から、中古部品の在庫が少ない理由は、例えば自動車部品（特にバスの部品）の場合、国内で使用されなくなったバスは、そのまま海外へ輸出されてきており、また、中古車両を大量に集めるルートや専門業者が存在していなかったことなどの事情が挙げられる。
さらに、リサイクル法により、中古部品は解体事業者しか扱えないといった事情や、産業廃棄物の不法投棄問題などから、大型専門の解体工場の承認を受けることが困難であるといった事情も挙げられる。
一方、従来、売り手側からは、販売ルートが見つけることが困難であり、そもそも販売ルートが存在していないといった不便が有った。
そこで、中古部品の広域的な流通経路を形成して売り手側と買い手側との双方の利便を図るために、インターネット網と、該インターネット網に接続されたサーバを介し、売り手側と買い手側とで中古部品情報を交換することを可能にする中古部品流通システムが提案されている（例えば、特許文献１参照。）。
【０００３】
【特許文献１】「特開２００３−６７５９１号公報」
【発明の開示】
【発明が解決しようとする課題】
【０００４】
しかしながら、上記背景技術で述べた従来の中古部品流通システムにあっては、例えば、前述の特許文献１で開示された中古部品流通システムの場合、前述のとおり、売り手側と買い手側とで中古部品情報を交換することを可能にするシステムを提供するだけであり、即ち、単なる情報交換システムに過ぎず、よって、売り手側の在庫情報と買い手側の注文情報とが一致した中古部品に関し、買い手側に対する代金決裁処理代行の便宜、売り手側に対する支払い代金振込処理代行の便宜および集配業務代行の便宜までは考慮されていないので、完成された商取引システムとしては使用できないという問題が有った。
特に、代金決済処理の手段として、個人（消費者）に対しては、代引きシステムの他、クレジットカード払いが行なわれているが、いわゆるＢｔｏＢ（Ｂｕｓｉｎｅｓｓ  ｔｏ  Ｂｕｓｉｎｅｓｓの略）と称される法人間同士におけるクレジットカードの後払いあるいは分割払いによるオンライン決済が出来ない、といった不都合があった。
また、サーバがプールしている在庫を閲覧できる資格は、システムの会員にだけに与えられており、一般の潜在顧客が自由に閲覧することができないので、一般の潜在顧客には、今現在、サーバに具体的にどのような在庫がプールされているのかを知ることができず、例えば、当座に必要な中古部品を調達できるのか否かさえ知ることができないので、一般の潜在顧客には、このシステムの会員となることのメリットを把握することができないという問題が有った。
【０００５】
さらに、サーバによってプールされている在庫情報は、買い手側の注文情報の入力を行う在庫検索時点において、当該入力情報に応じて段階的に（即ち小出しにされて）表示されるものであり、よって、買い手側は、買い取りを希望する中古部品の検索に先立って、前記プールされている在庫情報の全体を一覧として事前に視認することができないので、プールされている在庫情報の全体的な見通しが悪いといった問題が有った。
また、検索時点で、買い手側が希望する中古部品に関する情報を、検索システムが規定する入力規則に適合した入力方法で入力する必要が有り、この入力規則をマスターすることも大変な労力であるばかりではなく、折角入力しても、検索不一致が生じて検索漏れとなる可能性が大きくなるという問題があった。
さらに、買い手側が希望する中古部品に関する情報を、検索時点において、当該中古部品のコードで簡単に入力することができないので、買い手側の入力作業の負担が大きくなるという問題が有った。
【０００６】
本発明の請求項１の目的は、本システムがプールしている中古部品に関する在庫情報が、本システムの会員とは限らず、一般の潜在顧客も自由に閲覧できるウエブページ上の在庫情報一覧画面として開示し、一般の潜在顧客にも、今現在、サーバに具体的にどのような在庫がプールされているのかを知ることを可能にし、例えば、当座に必要な中古部品を調達できるのか否かといった情報も在庫情報一覧画面を介して知ることができるようにし、また、これにより、一般の潜在顧客も、このシステムの会員となった場合のメリットを把握することができるようにすると共に、この在庫情報一覧画面は、買い手側の注文情報の入力を行う在庫検索時点において、当該入力情報に応じて段階的に（即ち小出しにされて）表示されるものではなく、最初から全体を表示させることも可能にし、これにより、買い手側は、買い取りを希望する中古部品の検索に先立って、本システムにプールされている在庫情報全体を一覧として事前に視認することができる中古部品流通システムを提供することにある。
また、本発明の請求項２の目的は、特に、本システムを利用できる法人会員として、小売業者と卸売業者に分けて登録し、取引形態を分けて行い得る中古部品流通システムを提供することにある。
また、本発明の請求項３の目的は、特に、売り手側の在庫情報と買い手側の注文情報とが一致した中古部品の売買契約の締結に際し、買い手側の信用チェックを事前に行う中古部品流通システムを提供することにある。
【０００７】
また、本発明の請求項４の目的は、特に、前記売買契約が締結された前記中古部品に関する情報でもって前記在庫情報一覧画面を更新することで、在庫情報一覧画面に対して買い取られる中古部品に関する情報の消し込みを自動的に行い、これにより、在庫情報一覧画面を介して、常に正確な在庫情報を開示することができる中古部品流通システムを提供することにある。
また、本発明の請求項５の目的は、特に、売り手側の在庫情報と買い手側の注文情報とが一致した中古部品に関し、買い手側に対する代金決裁処理代行処理、売り手側に対する支払い代金振込処理代行処理まで自動的に行う完成された商取引システムとしての中古部品流通システムを提供することにある。
また、本発明の請求項６の目的は、特に、所定の集配業者端末装置に対して、前記売買手続きがなされた前記中古部品に関する集配指令を発信することで、集配業務代行まで自動的に行うことが可能な、さらに完成された商取引システムとしての中古部品流通システムを提供することにある。
また、本発明の請求項７の目的は、特に、注文情報の入力を簡単にすると共に、検索不一致が生じる可能性も軽減することができる中古部品流通システムを提供することにある。
【０００８】
また、本発明の請求項８の目的は、特に、入力される中古品に関する情報は、当該中古品に付与されたコードであっても良いようにすることで、買い手側が希望する中古部品に関する情報を当該中古部品のコードで簡単に入力することを可能にし、よって、買い手側の入力作業の負担を軽減すると共に、注文情報の入力ミスを軽減することができる中古部品流通システムを提供することにある。
また、本発明の請求項９の目的は、特に、前記コードを、前記在庫情報一覧画面において、当該部品に関する情報と対応付けて表示することで、在庫検索時点において、買い手側が、買い取りを希望する中古部品に関する情報を在庫情報一覧画面上で視認した時には、買い手側は、当該中古部品に対応するコードを直ちに知ることができる中古部品流通システムを提供することにある。
また、本発明の請求項１０の目的は、特に、検索時点において、買い手側が、買い取りを希望する中古部品に関する情報を在庫情報一覧画面上で視認した時には、当該買い手側は、視認したエントリに付与されている選択銘を選択（例えばクリック）することにより、当該中古部品に関する情報を直ちに前記注文入力画面に入力することができる中古部品流通システムを提供することにある。
さらに、本発明の請求項１１の目的は、特に、検索時点において、買い手側が、買い取りを希望する中古部品に関する情報を在庫情報一覧画面上で視認した時には、当該買い手側は、視認したエントリ自体を選択（例えばクリック）することにより、当該中古部品に関する情報を直ちに前記注文入力画面に入力することができる中古部品流通システムを提供することにある。
さらに、請求項１２の目的は、中古部品の調達が容易ではないバスの修理業界において適用することで、頗る便宜な中古部品流通システムを提供することにある。
【課題を解決するための手段】
【０００９】
請求項１に記載した本発明に係る中古部品流通システムは、上述した目的を達成するために、中古部品に関する在庫情報をウエブページ上で閲覧可能にすることにより、会員相互間で中古部品を広域的に流通させる中古部品流通システムであって、ウエブページとして開示される在庫情報一覧画面、入会手続き入力画面、在庫入力画面および注文入力画面を備え、さらに、前記在庫情報一覧画面へのアクセスがなされた時に、前記アクセスを行った端末装置に前記在庫情報一覧画面を送信する在庫情報表示手段と、前記入会手続き入力画面を介して入力された情報を検証した上で、会員ＩＤを発行して登録する会員登録手段と、前記在庫入力画面または前記注文入力画面へのアクセスがなされた時に、前記アクセスを行った端末装置から前記会員ＩＤを入力させることにより、本システムの会員であることを認証する会員認証手段と、前記認証された会員の端末装置から、前記在庫入力画面を介して、当該会員が保有する中古品に関する在庫情報を入力させる在庫入力手段と、前記在庫情報が入力された時に、当該在庫情報を前記在庫プールデータベースに格納する在庫格納手段と、前記認証された会員の端末装置から、前記注文入力画面を介して、当該会員が買い取りを希望する中古品を指定する情報を入力させる注文入力手段と、前記中古品を指定する情報が入力された時に、前記在庫プールデータベース上で前記情報に合致する中古部品情報を検索する在庫検索手段と、前記検索された中古部品情報で示される中古部品に関する売買契約の締結を含む売買手続きを行う売買手続き代行手段と、前記売買手続きがなされた前記中古部品に関する集配業務の手配を行う集配業務代行手段と、を備えたことを特徴とする。
また、請求項２に記載した本発明に係る中古部品流通システムは、
前記会員登録手段は、
前記入会手続き入力画面を介して入力された情報を検討した上で、小売業者向けの会員ＩＤと、卸売業者向けの会員ＩＤを、それぞれ発行して登録することを特徴とする。
このように構成することにより、小売業者または卸売業者の取引形態に即した中古部品流通システムを構築することが可能となる。
【００１０】
また、請求項３に記載した本発明に係る中古部品流通システムは、前記売買手続き代行手段が、前記売買契約を締結させるに際し、当該会員の端末装置に対して、当該会員が個人の場合は本システムが指定する決裁金融機関が発行するＩＣカードの番号の入力を促す画面を送信し、当該会員が法人の場合は本システムが指定する決裁金融機関が管理する法人登録情報の入力を促す画面を送信し、その後、前記いずれかの画面を介して入力され、かつ応答された入力画面情報を検証することにより、決裁可能の確認を行うことを特徴とする。
このように構成することにより、個人会員または法人会員の会員間の取引において、売り手側の在庫情報と買い手側の注文情報とが一致したことにより、中古部品の売買契約の締結に移行する場合には、買い手側の信用チェックも事前に行うことができる中古部品流通システムを実現している。
また、請求項４に記載した本発明に係る中古部品流通システムは、前記売買手続き代行手段が、前記売買契約が締結された前記中古部品に関する情報でもって前記在庫情報一覧画面を更新することを特徴とする。
このように構成することにより、在庫情報一覧画面は、買い取られる中古部品に関する情報の消し込みが自動的になされるので、在庫情報一覧画面を介して、常に正確な在庫情報を開示することが可能となる。
【００１１】
また、請求項５に記載した本発明に係る中古部品流通システムは、前記売買手続き代行手段が、前記決裁金融機関の端末装置に対して、前記売買契約が締結された前記中古部品の代金の決裁に関する引き落とし依頼および売り手側への支払い代金の振込依頼を送信することを特徴とする。
このように構成することにより、売り手側の在庫情報と買い手側の注文情報とが一致した中古部品に関し、買い手側に対する代金決裁処理代行処理、売り手側に対する支払い代金振込処理代行処理まで自動的に行う完成された商取引システムとしての中古部品流通システムを実現している。
また、請求項６に記載した本発明に係る中古部品流通システムは、前記集配業務代行手段が、所定の集配業者端末装置に対して、前記売買手続きがなされた前記中古部品に関する集配指令を発信することを特徴とする。
このように構成することにより、集配業務代行まで自動的に行うことが可能となり、さらに完成された商取引システムとしての中古部品流通システムを実現している。
【００１２】
また、請求項７に記載した本発明に係る中古部品流通システムは、前記注文入力画面と前記在庫情報一覧画面とを、前記注文入力画面にアクセスした前記会員端末が備える表示装置の表示画面上で、同一ページとして表示する手段をさらに備えたことを特徴とする。
このように構成することにより、買い手側が買い取りを希望する中古部品に関する情報は、注文入力画面と同一画面上に表示される在庫情報一覧画面から拾うことができるので、注文情報の入力が簡単となり、検索不一致が生じる可能性も軽減される。
また、請求項８に記載した本発明に係る中古部品流通システムは、前記注文入力手段により入力される前記中古品に関する情報が、当該中古品に付与されたコードである場合を許すことを特徴とする。
このように構成することにより、買い手側が希望する中古部品に関する情報を当該中古部品のコードで簡単に入力することができるので、買い手側の入力作業の負担を軽減すると共に、注文情報の入力ミスを軽減することができる。
また、請求項９に記載した本発明に係る中古部品流通システムは、前記コードが、前記在庫情報一覧画面において、当該部品に関する情報と対応付けて表示されることを特徴とする。
このように構成することにより、検索時点において、買い手側が、買い取りを希望する中古部品に関する情報を在庫情報一覧画面上で視認した時には、当該買い手側は、当該中古部品に対応するコードを直ちに知ることができる。
【００１３】
また、請求項１０に記載した本発明に係る中古部品流通システムは、前記在庫情報一覧画面に表示される中古部品対応の各エントリの各々には、それぞれ対応する選択銘が付与され、その１つが選択された時に、当該選択された選択銘に対応するエントリ内のデータ項目が前記注文入力画面に転記されるように構成されていることを特徴とする。
このように構成することにより、検索時点において、買い手側が、買い取りを希望する中古部品に関する情報を在庫情報一覧画面上で視認した時には、当該買い手側は、視認したエントリに付与されている選択銘を選択（例えばクリック）することにより、当該中古部品に関する情報を直ちに前記注文入力画面に入力することができる。
さらに、請求項１１に記載した本発明に係る中古部品流通システムは、前記在庫情報一覧画面に表示される中古部品対応の各エントリの各々は、その１つが選択された時に当該選択されたエントリ内のデータ項目を前記注文入力画面に転記させる機能を有していることを特徴とする。
このように構成することにより、検索時点において、買い手側が、買い取りを希望する中古部品に関する情報を在庫情報一覧画面上で視認した時には、当該買い手側は、視認したエントリ自体を選択（例えばクリック）することにより、当該中古部品に関する情報を直ちに前記注文入力画面に入力することができる。
さらに、請求項１２に記載した本発明に係る中古部品流通システムは、前記中古部品がバスを主体とする自動車の部品であることを特徴としている。
このように構成することにより、中古部品の調達が容易でないバスを主体とする自動車の修理業界に大きく貢献することができる。
【発明の効果】
【００１４】
請求項１に記載の発明によれば、中古部品に関する在庫情報をウエブページ上で閲覧可能にすることにより、会員相互間で中古部品を広域的に流通させる中古部品流通システムであって、ウエブページとして開示される在庫情報一覧画面、入会手続き入力画面、在庫入力画面および注文入力画面を備え、さらに、前記在庫情報一覧画面へのアクセスがなされた時に、前記アクセスを行った端末装置に前記在庫情報一覧画面を送信する在庫情報表示手段と、前記入会手続き入力画面を介して入力された情報を検証した上で、会員ＩＤを発行して登録する会員登録手段と、前記在庫入力画面または前記注文入力画面へのアクセスがなされた時に、前記アクセスを行った端末装置から前記会員ＩＤを入力させることにより、本システムの会員であることを認証する会員認証手段と、前記認証された会員の端末装置から、前記在庫入力画面を介して、当該会員が保有する中古品に関する在庫情報を入力させる在庫入力手段と、前記在庫情報が入力された時に、当該在庫情報を前記在庫プールデータベースに格納する在庫格納手段と、前記認証された会員の端末装置から、前記注文入力画面を介して、当該会員が買い取りを希望する中古品を指定する情報を入力させる注文入力手段と、前記中古品を指定する情報が入力された時に、前記在庫プールデータベース上で前記情報に合致する中古部品情報を検索する在庫検索手段と、前記検索された中古部品情報で示される中古部品に関する売買契約の締結を含む売買手続きを行う売買手続き代行手段と、前記売買手続きがなされた前記中古部品に関する集配業務の手配を行う集配業務代行手段と、を備える構成としたので、本システムがプールしている中古部品に関する在庫情報が、本システムの会員とは限らず、一般の潜在顧客も自由に閲覧できるウエブページ上の在庫情報一覧画面として開示され、一般の潜在顧客は、今現在、サーバに具体的にどのような在庫がプールされているのかを知ることが可能となり、例えば、当座に必要な中古部品を調達できるのか否かといった情報も在庫情報一覧画面を介して知ることができる効果が有る。
【００１５】
また、この効果により、一般の潜在顧客も、このシステムの会員となった場合のメリットを把握することができる。さらに、この在庫情報一覧画面は、買い手側の注文情報の入力を行う在庫検索時点において、当該入力情報に応じて段階的に（即ち小出しにされて）表示されるものではなく、最初から全体を表示させることも可能であるので、買い手側は、買い取りを希望する中古部品の検索に先立って、本システムにプールされている在庫情報全体を一覧として事前に視認し得るが中古部品流通システムを提供することができる効果が有る。
請求項２に記載の発明によれば、
前記会員登録手段は、
前記入会手続き入力画面を介して入力された情報を検討した上で、小売業者向けの会員ＩＤと、卸売業者向けの会員ＩＤを、それぞれ発行して登録するように構成したので、小売業者または卸売業者の取引形態を分けた部品流通システムを構築することができる。
また、請求項３に記載の発明によれば、前記売買手続き代行手段が、前記売買契約を締結させるに際し、当該会員の端末装置に対して、当該会員が個人の場合は本システムが指定する決裁金融機関が発行するＩＣカードの番号の入力を促す画面を送信し、当該会員が法人の場合は本システムが指定する決裁金融機関が管理する法人登録情報の入力を促す画面を送信し、その後、前記いずれかの画面を介して入力され、かつ応答された入力画面情報を検証することにより、決裁可能の確認を行うように構成したので、売り手側の在庫情報と買い手側の注文情報とが一致した中古部品の売買契約の締結に際し、買い手側の信用チェックも事前に行われる中古部品流通システムを提供することができる。
【００１６】
また、請求項４に記載の発明によれば、前記売買手続き代行手段が、前記売買契約が締結された前記中古部品に関する情報でもって前記在庫情報一覧画面を更新するように構成したので、在庫情報一覧画面は、買い取られる中古部品に関する情報の消し込みが自動的になされ、在庫情報一覧画面を介して、常に正確な在庫情報を開示することが可能な中古部品流通システムを提供することができる。  また、請求項５に記載の発明によれば、前記売買手続き代行手段が、所定の決裁金融機関端末装置に対して、前記売買契約が締結された前記中古部品の代金の決裁に関する引き落とし依頼および売り手側への支払い代金の振込依頼を送信するように構成したので、売り手側の在庫情報と買い手側の注文情報とが一致した中古部品に関し、買い手側に対する代金決裁処理代行処理、売り手側に対する支払い代金振込処理代行処理まで自動的に行う完成された商取引システムとしての中古部品流通システムを提供することができる。
また、請求項６に記載の発明によれば、前記集配業務代行手段が、所定の集配業者端末装置に対して、前記売買手続きがなされた前記中古部品に関する集配指令を発信するので、集配業務代行まで自動的に行うことが可能な、さらに完成された商取引システムとしての中古部品流通システムを提供することができる。
【００１７】
また、請求項７に記載の発明によれば、注文入力画面と在庫情報一覧画面とを、注文入力画面にアクセスした会員端末が備える表示装置の表示画面上で、同一ページとして表示することができるので、買い手側が買い取りを希望する中古部品に関する情報は、注文入力画面と同一画面上に表示される在庫情報一覧画面から拾うことが可能となり、よって、注文情報の入力が簡単となり、検索不一致が生じる可能性も軽減される中古部品流通システムを提供することができる。
また、請求項８に記載の発明によれば、注文入力手段により入力される中古品に関する情報は、当該中古品に付与されたコードであっても良いので、買い手側が希望する中古部品に関する情報を当該中古部品のコードで簡単に入力することが可能となり、よって、買い手側の入力作業の負担を軽減すると共に、注文情報の入力ミスを軽減することが可能な中古部品流通システムを提供することができる。
また、請求項９に記載の発明によれば、前記コードは、前記在庫情報一覧画面において、当該部品に関する情報と対応付けて表示するように構成したので、在庫検索時点において、買い手側が、買い取りを希望する中古部品に関する情報を在庫情報一覧画面上で視認した時には、買い手側は、当該中古部品に対応するコードを直ちに知り得る中古部品流通システムを提供することができる。
【００１８】
また、請求項１０に記載の発明によれば、前記在庫情報一覧画面に表示される中古部品対応の各エントリの各々には、それぞれ対応する選択銘を付与し、その１つが選択された時に、前記選択銘に対応するエントリ内のデータ項目が前記注文入力画面に転記されるように構成したので、検索時点において、買い手側が、買い取りを希望する中古部品に関する情報を在庫情報一覧画面上で視認した時には、当該買い手側は、視認したエントリに付与されている選択銘を選択（例えばクリック）することにより、当該中古部品に関する情報を直ちに前記注文入力画面に入力することができる中古部品流通システムを提供することができる。
さらに、請求項１１に記載の発明によれば、前記在庫情報一覧画面に表示される中古部品対応の各エントリの各々には、その１つが選択された時に当該エントリ内のデータ項目を前記注文入力画面に転記させる機能を持たせるので、検索時点において、買い手側が、買い取りを希望する中古部品に関する情報を在庫情報一覧画面上で視認した時には、当該買い手側は、視認したエントリ自体を選択（例えばクリック）することにより、当該中古部品に関する情報を直ちに前記注文入力画面に入力することができる中古部品流通システムを提供することができる。
さらに、請求項１２に記載の発明によれば、流通の対象とするのは、特にバスを主体とした自動車部品であるので、一般に中古部品の調達が容易でないバスを主体とする自動車の修理業界において大きく貢献し、調達期間の短縮化、調達コストの低減化を、実現し得る中古部品流通システムを提供することができる。
【発明を実施するための最良の形態】
【００１９】
以下、本発明の中古部品流通システムの最良の実施形態について、図面を参照して詳細に説明する。
図１は、本発明の実施の形態に係る中古部品流通システムの全体構成を示す構成図である。
同図において、本実施形態の中古部品流通システムは、販売可能な中古部品の在庫を有する売り手側が使用する売り手側端末装置１と、中古部品の買い取りを希望する買い手側が使用する買い手側端末装置２と、中古部品の買い手側に売り手側の情報を開示して両者間での中古部品の流通を図る中古部品流通サーバ３と、売買契約が成立した中古部品についての集配業務を担う集配業者が使用する集配業者端末装置４と、売買契約が成立した中古部品の代金を買い手側の金融口座から引き落とす決裁機関が使用する決裁機関端末装置５と、前記各端末装置を通信可能に接続するインターネット網１０と、を備える。
この他に、中古部品流通サーバ３と決裁機関端末装置５とを通信可能に接続するＬＡＮ（Local Area Network）２０を備えることができる。
【００２０】
図２は、本実施形態の中古部品流通システムにおける情報の流れを示す説明図である。  以下、図１，２を参照して、本実施形態の中古部品流通システムが有する各構成要素の機能について説明する。
図２に示すように、中古部品流通センター（ＯＣ）（中古部品についての集配業務を担う集配業者が経営母体）が使用する中古部品流通サーバ３からは、メニュー画面（ＭＭ）、本システムの会員（個人会員または法人会員、さらには法人会員の中でも小売業会員、卸売業会員を含む）となるための入会手続き画面（ＩＭ）、売り手側の在庫情報を入力するための在庫入力画面（ＩＳ）、当該サーバがプールしている中古部品の情報を表示するための在庫情報一覧画面（ＩＯＰ）および買い手側が買い取りを希望する中古部品に関する情報を入力する注文入力画面（ＩＢ）、等が、インターネット網１０に開示されている。
このうち、メニュー画面（ＭＭ）、本システムの会員となるための入会手続き画面（ＩＭ）および当該サーバがプールしている中古部品の情報を表示するための在庫情報一覧画面（ＩＯＰ）は、本システムの会員を含む一般顧客から呼び出すことができるが、売り手側の在庫情報を入力するための在庫入力画面（ＩＳ）および買い手側が買い取りを希望する中古部品に関する情報を入力するための注文入力画面（ＩＢ）は、パスワードと会員ＩＤとを入力した本システムの会員のみに開示される。
【００２１】
なお、在庫情報一覧（ＩＯＰ）と注文入力画面（ＩＢ）とは、会員の端末装置から、前後を問わず、相次いで呼び出される時には、当該端末装置に付属する表示装置の同じ画面上に表示することができる。
売り手１（ＳＰ１）等は、売り手側端末装置１から、中古部品流通サーバ３が開示しているメニュー画面（ＭＭ）を呼び出して入会手続き入力画面（ＩＭ）を選び、同画面を介して入会手続きを行うことにより、会員ＩＤが与えられ、本システムの会員となる。
この売り手１（ＳＰ１）等は、売り出すことが可能な中古部品の在庫として、手持ち中古品１（ＯＰ１）等を保持しているが、これらの中古部品に関する在庫情報は、売り手側端末装置１の在庫データＤＢ１２（後述）に格納しておくことができる。但し、必ずしも、中古部品に関する在庫情報を在庫データＤＢ１２に格納しておく必要は無い。
売り手１（ＳＰ１）等は、前記の入会手続きを済ませた後、売り手側端末装置１から、中古部品流通サーバ３が開示しているメニュー画面（ＭＭ）を呼び出して在庫入力画面（ＩＳ）を選び、同画面を介して売り出すことを希望する中古部品に関する情報を在庫情報として入力することで、この情報を、中古部品流通サーバ３が開示している在庫情報一覧画面（ＩＯＰ）に掲載させることができる。この時、中古部品に関する在庫情報が在庫データＤＢ１２に格納されていると、ＯＳが備える機能を使用して、この入力処理を迅速に行うことができる。
【００２２】
買い手１（ＢＰ１）等は、買い手側端末装置２から、中古部品流通サーバ３が開示しているメニュー画面（ＭＭ）を呼び出して入会手続き入力画面（ＩＭ）を選び、同画面を介して入会手続きを行うことにより、会員ＩＤが与えられ、本システムの会員となる。この会員の種類としては、個人会員と法人会員があり、さらには、小売業会員と卸売業会員とがあり、いずれも所定の会員ＩＤが発行され、且つ登録される。
買い手１（ＢＰ１）等は、前記の入会手続きを済ませた後、買い手側端末装置２から、中古部品流通サーバ３が開示しているメニュー画面（ＭＭ）を呼び出して在庫情報一覧（ＩＯＰ）（ウェブページ）を選ぶことで、中古部品流通サーバ３が開示している在庫情報一覧（ＩＯＰ）（ウェブページ）を参照することができる。また、買い手側端末装置２から、中古部品流通サーバ３が開示しているメニュー画面（ＭＭ）を呼び出して注文入力画面（ＩＢ）を選び、当該画面を介して、自己が買い取りを希望する中古部品に関する情報、若しくは当該中古部品のコードを指定入力することにより、自己が買い取りを希望する中古部品の買い注文を発信することができる。この時、この中古部品に関する情報は、例えば、同じ画面に呼び出しておいた在庫情報一覧（ＩＯＰ）を参照し、決定することができる。但し、在庫情報一覧（ＩＯＰ）は、必ずしも参照しなくてもよい。
【００２３】
なお、在庫情報一覧（ＩＯＰ）を注文入力画面（ＩＢ）と同じ画面に呼び出している時には、在庫情報一覧（ＩＯＰ）に記載されている中古部品のコードをマウスクリックすることにより、当該中古部品に関する情報を自動的に注文入力画面（ＩＢ）に指定入力することができる。但し、前述のとおり、買い手１（ＢＰ１）等は、買い注文に際して、必ずしも、在庫情報一覧（ＩＯＰ）（ウェブページ）を参照する必要が無く、また、自己が買い取りを希望する中古部品のコードを、注文入力画面（ＩＢ）を介して必ずしも指定入力する必要は無い。即ち、自己が買い取りを希望する中古部品に関する情報を、買い手側端末装置２から、注文入力画面（ＩＢ）を介して、入力するだけであっても構わない。上記いずれの場合であっても、注文入力画面（ＩＢ）を介して注文入力された中古部品情報に該当する中古部品の在庫は、中古部品流通サーバ３において検索される。
中古部品流通センター（ＯＣ）の中古部品流通サーバ３は、メニュー画面（ＭＭ）（図５）を、ウェブページとしてインターネット網１０上に常時開示し、さらに、メニュー画面（ＭＭ）の選択に応じて、本システムの会員となるための入会手続き画面（ＩＭ）、売り手側の在庫情報を入力するための在庫入力画面（ＩＳ）、当該サーバがプールしている中古部品の情報を表示するための在庫情報一覧画面（ＩＯＰ）および買い手側が買い取りを希望する中古部品に関する情報を入力する注文入力画面（ＩＢ）、等を呼び出し会員端末装置に送出する。
【００２４】
このうち、メニュー画面（ＭＭ）、本システムの会員となるための入会手続き画面（ＩＭ）および当該サーバがプールしている中古部品の情報を表示するための在庫情報一覧画面（ＩＯＰ）は、本システムの会員を含む一般顧客に対して開示される（このような機能部分または機能実現手段を在庫情報表示手段と称する）が、売り手側の在庫情報を入力するための在庫入力画面（ＩＳ）および買い手側が買い取りを希望する中古部品に関する情報を入力する注文入力画面（ＩＢ）は、パスワードと会員ＩＤとの入力により認証がとれた本システムの会員のみに開示されるものとする。
なお、在庫情報一覧画面（ＩＯＰ）を本システムの会員以外の一般顧客にも開示する理由は、一般顧客に対して、本システムがプールしている在庫を知らしめることで、本システムの会員となった場合のメリットを宣伝するためである。
中古部品流通サーバ３は、本システムの会員ではない一般顧客から、入会手続き画面（ＩＭ）を介して、入会手続きが入力された時、前記入力された情報を検証した上で、当該顧客に対して会員ＩＤを発行すると共に、当該顧客が入力した個人情報および当該顧客が指定入力したパスワード、並びに当該顧客に発行した会員ＩＤを、会員認証情報ＤＢ３２（後述）に格納することで当該顧客の会員登録を行う（このような機能実現手段を会員登録手段と称する）。
【００２５】
中古部品流通サーバ３は、或る顧客が、当該顧客が使用する端末装置を介してメニュー画面（ＭＭ）を呼び出し、引き続き在庫入力画面（ＩＳ）を選んだ場合、前記パスワードと前記会員ＩＤとを入力するウェブページ上の入力画面を当該顧客の端末装置に送信し、この顧客に対して、前記パスワードと前記会員ＩＤとの入力を促す。この顧客が、前記入力画面を介して、前記パスワードと前記会員ＩＤとを入力すると、中古部品流通サーバ３は、前記パスワードと前記会員ＩＤとを検証して、この顧客を認証する（即ち、この顧客が本システムの会員であることを確認する）（このような機能実現手段を会員認証手段と称する）。
この認証がとれると、中古部品流通サーバ３は、この会員の端末装置（即ち売り手側端末装置１等）に対して、在庫入力画面（ＩＳ）を送信し、この会員が売り出すことを希望する中古部品に関する情報の入力を促す（このような機能実現手段を在庫入力手段と称する）。これにより、この会員が売り出すことを希望する中古部品に関する情報が、在庫入力画面（ＩＳ）を介して入力された場合、中古部品流通サーバ３は、この中古部品に関する情報を編集すると共にコードを付与し、在庫情報一覧画面（ＩＯＰ）に掲載する（従って、図４に示す在庫プールデータＤＢ３５にも追加される）（このような機能実現手段を在庫格納手段と称する）。
【００２６】
また、中古部品流通サーバ３は、或る顧客が、当該顧客が使用する端末装置を介してメニュー画面（ＭＭ）を呼び出し、引き続き注文入力画面（ＩＢ）を選んだ場合、前記パスワードと前記会員ＩＤとを入力するウェブページ上の入力画面を当該顧客の端末装置に送信し、この顧客に対して、前記パスワードと前記会員ＩＤとの入力を促す。この顧客が、前記入力画面を介して、前記パスワードと前記会員ＩＤとを入力すると、中古部品流通サーバ３は、前記パスワードと前記会員ＩＤとを検証して、この顧客を認証する（即ち、この顧客が本システムの会員であることを確認する）（このような機能実現手段を会員認証手段と称する）。
この認証がとれると、中古部品流通サーバ３は、この会員の端末装置（買い手側端末装置２等）に対して、注文入力画面（ＩＢ）を送信し、この会員が買い取ることを希望する中古部品に関する情報、若しくは当該中古部品のコードの入力を促す（このような機能実現手段を注文入力手段と称する）。これにより、この会員が買い取ることを希望する中古部品に関する情報が、注文入力画面（ＩＢ）を介して入力された場合、中古部品流通サーバ３は、在庫確認処理を行う。即ち、中古部品流通サーバ３は、前記入力された会員が買い取ることを希望する中古部品に関する情報（当該中古部品のコードだけの場合を含む）をキーとして、在庫プールデータＤＢ３５を検索し（このような機能実現手段を在庫検索手段と称する）、該当する中古部品の在庫を確認すると共に、在庫が存在する場合は、引き続き、売買契約手続きに移る。
【００２７】
この売買契約手続では、中古部品流通サーバ３は、会員が個人の場合は、本システムが指定する決裁金融機関が発行するＩＣカードの番号等の入力を促す画面を、若しくは会員が法人（小売業、卸売業者）の場合は本システムが指定する決裁金融機関が管理する法人登録情報の入力を促す画面を、この会員の端末装置（買い手側端末装置２等）に対して送信する。また、中古部品流通サーバ３は、この画面で入力される情報を検証し、決裁可能の確認等が得られると、売買契約が成立したものとして在庫情報一覧画面（ＩＯＰ）から当該部品を削除する更新を行う（従って、在庫プールデータＤＢ３５も更新される）と共に、当該決裁金融機関の決裁機関端末装置５に対して、当該決裁に関する引き落とし依頼および売り手側への支払い代金の振込依頼を送信し（このような機能実現手段を売買手続き代行手段と称する）、その後、売買契約成立を示すメッセージを同画面に表示する。また、集配業者端末装置４に対して、売買契約が成立した当該中古部品に関する集配指令を発信する（このような機能実現手段を集配業務代行手段と称する）。
集配業者は、中古部品流通サーバ３から、集配業者端末装置４を介して、売買契約が成立した中古部品の集配指令を受信した場合、当該中古部品の売り手１等から当該中古部品を引き取ると共に、この引き取った中古部品を買い手２等に配送する。
【００２８】
決裁金融機関は、中古部品流通サーバ３から、決裁機関端末装置５を介して、所定の前記決裁に関する引き落とし依頼および売り手側への支払い代金の振込依頼を受信した場合、当該買い手会員の口座からの当該引き落とし依頼で指定された条件、例えば、代金引換、クレジットカード払い（１回または複数回の分割）などの条件での引き落としを行うと共に、当該売り手会員の口座への当該振込依頼で指定された支払代金の振込みを行う。
【００２９】
図３は、本発明の実施の形態に係る中古部品流通システムの売り手側端末装置１の一構成例を示す構成図である。
同図に例示する売り手側端末装置１は、中古部品流通サーバ３との相互通信、データベースの管理および各種機器類の制御を行う制御部１１と、売り手側の手持ち在庫である中古部品に関する情報を格納する在庫データＤＢ（データベース）１３と、を備える。
制御部１１は、本装置全体を制御する主制御部１１１と、主制御部１１１が実行する制御プログラム、処理プログラムおよびデータ等を格納するＲＡＭ１１０と、インターネット網１０に対応した通信プロトコルを備えて中古部品流通サーバ３と相互通信する通信処理部１１２（ウェブページ閲覧用のブラウザを含む）と、在庫データベースＤＢ１２を制御するデータベース管理部１１３と、在庫の中古部品に関する画像データ等を撮影して入力するための画像データ入力部１１４と、在庫の中古部品に関する情報を入力するためのデータ入力部１１５と、中古部品流通サーバ３が開示するウェブページ等を表示するための表示部１１６と、を備える。
この他に、売手側のウェブページをインターネット網２０上に開示するための図示しないウェブサーバや、ウェブページＤＢ、等を備えることができる。
【００３０】
在庫データＤＢ１２には、在庫の中古部品に関する画像データを含めることができる。また、当該中古部品の画像データが何らかの端末装置からウェブページとして開示されている場合は、在庫データＤＢ１２に、当該ウェブページを呼び出すためのＵＲＬ（Uniform Resource Locator）を格納することができる。
データ入力部１１５は、表示部１１６の表示画面上の情報を指定するためのマウスを備えることができる。
表示部１１６の表示画面をタッチパネルとして構成することも可能であり、この場合はタッチペンを備えることも可能である。
制御部１１は、中古部品流通サーバ３が開示するウェブページを表示するための処理、在庫の中古部品に関する情報を在庫データＤＢ１２に格納する処理、前述の入会手続きに必要な処理、在庫の中古部品に関する情報を中古部品流通サーバ３が開示している在庫情報一覧画面（ＩＯＰ）に掲載させるための処理、等を制御する。
なお、買い手側端末装置２の構成については、売り手側端末装置１と同様の構成であるので図示および説明を省略する。
【００３１】
図４は、本発明の実施の形態に係る中古部品流通システムの中古部品サーバ３の一構成例を示す構成図である。
同図において、中古部品サーバ３は、全体を制御する制御部３１と、本システムの会員を認証するための情報を格納する会員認証情報ＤＢ３２と、売り手側が在庫入力画面（ＩＳ）（図２）を介して入力した手持ち中古部品に関する在庫情報を格納する売り注文ＤＢ３３と、買い手側が注文入力画面（ＩＢ）（図２）を介して入力した買い取りを希望する中古品に関する情報を格納する買い注文ＤＢ３４と、販売可能な在庫の中古部品に関する情報を格納する在庫プールデータＤＢ３５と、メニュー画面（ＭＭ）、入会手続き画面（ＩＭ）、在庫入力画面（ＩＳ）、在庫情報一覧画面（ＩＯＰ）および注文入力画面（ＩＢ）、等の各ウェブページをインターネット網１０上に開示できるファイルとして格納するウェブページＤＢ３６と、集配業者に関する情報を格納する集配業者情報ＤＢ３７と、を備えて構成される。
【００３２】
制御部３１は、他の構成要素の処理を分担すると共に他の構成要素を制御する主制御部３１１と、注文された中古部品の検索処理に必要なプログラムやデータを記憶するＲＡＭ３２１と、回線接続を制御する回線制御部３１２と、インターネット網１０およびＬＡＮ２０とのプロトコルを備えて他の端末装置との通信を行う通信制御部３１３と、ウェブページの管理とアクセス制御とを行うウェブサーバ３１４と、データベースＤＢ３２〜ＤＢ３７を制御するＤＢ管理部３１５と、検索処理等の進行状況をモニタするための表示部３１６と、を備える。
この他に、ＯＣＲやスキャナ等で構成された入力装置等を必要に応じて備えることができる。
主制御部３１１は、本サーバ全体を制御すると共に、注文された中古部品の検索処理等を行う。
ＲＡＭ３２１は、中古部品の検索処理に必要なプログラムやデータを記憶すると共に、前記処理等の実行に必要な一時的データ（テンポラリデータ）を記憶する。
【００３３】
回線制御部３１２は、インターネット網１０およびＬＡＮ２０に接続するための通信プロトコルを備えるが、この他に、デジタル終端接続装置（ＤＳＵ）や侵入防止用のファイアウォールアプリケーションを実装したルータなどを備えて構成することができる。
通信制御部３１３は、ウェブサーバ３１４を制御すると共に、複数の顧客側端末装置（会員の端末装置を含む）との回線接続を選択的に行う制御を実行する。なお、この通信制御部３１３は、例えば、インターネット上での時刻同期用ＮＴＰ（Network Time Protocol）サーバ、分散ファイルシステム用のＮＦＳ（Network File System)サーバなどを備えることができる。
通信制御部３１３は、さらに、個人情報などの秘密保持のための暗号化データ転送用の暗号化通信プロトコルを保持し、ＳＳＬ（Secure Sockets Layer）サーバの制御を実行することができる。
ウェブサーバ３１４は、インターネット網１０上で基幹的な通信処理（ブラウジング）を実行するための主コンピュータとして動作する。このウェブサーバ３１４は、前記インターネット網上に開設されるホームページを運営するものであり、このホームページはメニュー画面（ＭＭ）を含む。また、このメニュー画面（ＭＭ）には、入会手続き画面（ＩＭ）、在庫入力画面（ＩＳ）、在庫情報一覧画面（ＩＯＰ）および注文入力画面（ＩＢ）を含む各ウェブページへのリンク情報を含む。
【００３４】
また、このウェブサーバ３１４は、顧客が前記ホームページ上のメニュー画面（ＭＭ）を介して在庫入力画面（ＩＳ）または注文入力画面（ＩＢ）にアクセスしようとする時、当該顧客に対する会員認証を行い、認証が得られた顧客（即ち本システムの会員）に対して在庫入力画面（ＩＳ）または注文入力画面（ＩＢ）へのアクセスを許可する等の制御を行う。
ＤＢ管理部３１５は、入出力バス３２０を介して、データベースＤＢ３２〜ＤＢ３７を管理する。この管理には、オペレーティングシステムによるファイルの排他制御（占有制御）や、バッファリング技法が含まれる。
表示部３１６は、検索処理等の進行状況をモニタするため等に使用される。
会員認証情報ＤＢ３２は、本システムの会員を認証するために必要な認証用データを記憶している。このデータベースに記憶されているファイルは、認証処理の際に、ウェブサーバ３１４が制御する認証処理タスクから参照される。
売り注文ＤＢ３３は、本システムの会員である売り手側が、在庫入力画面（ＩＳ）（図２）を介して入力した手持ち中古部品に関する在庫情報を会員ＩＤ毎に整理して格納する。
【００３５】
買い注文ＤＢ３４は、本システムの会員である買い手側が、注文入力画面（ＩＢ）（図２）を介して入力した買い取りを希望する中古品に関する情報を会員ＩＤ毎に整理して格納する。
在庫プールデータＤＢ３５は、販売可能な在庫の中古部品に関する情報を格納する。この情報は、売り注文ＤＢ３３が在庫情報として格納する中古部品に関する情報に対して会員ＩＤとコードとが付与されたものが累積されたものであり、売買契約が成立した時点で更新される（即ち、成約した中古品に関する情報が消し込みされる）。
ウェブページＤＢ３６は、メニュー画面（ＭＭ）、入会手続き画面（ＩＭ）、在庫入力画面（ＩＳ）、在庫情報一覧画面（ＩＯＰ）および注文入力画面（ＩＢ）、等の各ウェブページをインターネット網１０上に開示できるファイルとして格納する。
集配業者情報ＤＢ３７は、集配業者に関する情報を格納する。この情報には、集配業者の属性情報（例えば、屋号、所在地、連絡先等）が含まれる。
【００３６】
図５は、本発明の実施の形態に係る中古部品流通システムのメニュー画面の一例を示す説明図である。
同図に例示するメニュー画面（ＭＭ）には、一般顧客（会員を含む）が選択可能な「一般顧客様および会員様が指定可能なメニュー」として、入会手続入力画面（ＩＭ）に対応する「入会手続入力画面」および在庫情報一覧画面（ＩＯＰ）に対応する「在庫情報一覧画面」の各表示と、入会手続入力画面（ＩＭ）および在庫情報一覧画面（ＩＯＰ）へのリンクを示す各選択釦の表示とが示されている。また、会員だけが選択可能な「会員様限定で指定可能なメニュー」として、在庫入力画面（ＩＳ）に対応する「在庫入力画面」および注文入力画面（ＩＢ）に対応する「注文入力画面」の表示と、在庫入力画面（ＩＳ）および注文入力画面（ＩＢ）へのリンクを示す各選択釦の表示とが示されている。
【００３７】
図６は、本発明の実施の形態に係る中古部品流通システムの在庫情報一覧画面（ＩＯＰ）に表示される在庫情報の一例を示す説明図であり、図６（ａ）は階層構造を有さない在庫情報の一例、図６（ｂ）は階層構造を有する在庫情報の一例を、それぞれ示すものである。
図６（ａ）に例示する在庫情報一覧画面（ＩＯＰ）には、中古部品に対応する各エントリ毎のデータ項目として、入会時に付与された会員ＩＤを記載する「会員ＩＤ」、販売可能な在庫の中古部品を製造した会社を記載する「製造会社名」、当該中古部品の名称を記載する「部品名」、当該中古部品の規格を記載する「規格」、当該中古部品の型番を記載する「型番」、当該中古部品の販売可能な数量を記載する「数量」、当該中古部品の画像を記載したウェブページ上のＵＲＬを記載する「画像ＵＲＬ」、当該中古部品の入庫日を記載する「入庫日」、当該中古部品に付与されるコードを記載する「コード」が、それぞれ示されている。
なお、図示は省略するが、前記エントリの各々には、それぞれ対応する選択銘を付与し、前記選択銘が選択された時に、対応するエントリ内のデータ項目が注文入力画面ＩＢに転記されるように構成することが可能である。若しくは、このエントリ自体にリンク機能を持たせ、このエントリが選択された時に、主制御部３１１（図４）の制御の流れを、このエントリ内のデータ項目を注文入力画面ＩＢに転記させるタスクに移すように構成することも可能である。
【００３８】
図６（ｂ）に例示する在庫情報一覧画面（ＩＯＰ）には、販売可能な在庫の中古部品を特定するための情報が、階層構造（ここではカテゴリー間の包含関係としている）で示されている。例示されている階層構造（「カテゴリー１２」⊃「カテゴリー１２２」⊃「カテゴリー１２２２」）における最下位には、図６（ａ）に例示されている情報と同じデータ項目を有する当該中古品に関する情報が示されている。
図７は、本発明の実施の形態に係る中古部品流通システムにおける中古部品流通サーバ３のメニューに対応した動作を示すフローチャート図である。
まず、主制御部３１１（図４）は、ウエブページ上でメニュー画面へのリンクが選択されたか否かを検証する（ステップＳ１）。
次に、主制御部３１１は、前記リンクにより、メニュー画面が呼び出された場合、当該メニュー画面を介してさらに選択される画面の種類（即ち、図５に示す「入会手続き入力画面」、「在庫情報一覧画面」、「在庫入力画面」、「注文入力画面」のいずれか１つ）に応じて、制御の流れを変化させる。即ち、主制御部３１１は、制御の流れを、「入会手続き入力画面」が選択された場合はステップＳ１１、「在庫情報一覧画面」が選択された場合はステップＳ２１、「在庫入力画面」が選択された場合はステップＳ３１、「注文入力画面」が選択された場合はステップＳ４１に、それぞれ移動させる（ステップＳ２）。
【００３９】
ステップＳ１１では、主制御部３１１は、ウエブページの呼び出し元の端末装置へ「入会手続き入力画面」を送信する。
次に、主制御部３１１は、当該端末装置から、「入会手続き入力画面」を介して入力された入会申込み情報を受信する（ステップＳ１２）。
次に、主制御部３１１は、受信した入会申込み情報を検証し、内規の入会資格を満たすか否かを検証する（なお、図示は省略するが、入会資格を満たさない場合は、当該端末装置へ、その旨のメッセージを送信する）（ステップＳ１３）。
次に、主制御部３１１は、当該入会申込み情報に会員ＩＤを付与し、会員認証情報ＤＢ３２（図４）に格納することで、会員登録を完了させ（ステップＳ１４）、ステップＳ１に戻る。
ステップＳ２１では、主制御部３１１は、ウエブページの呼び出し元の端末装置へ「在庫情報一覧画面」を送信し、ステップＳ１に戻る。
ステップＳ３１では、ウエブページの呼び出し元の端末装置へ、会員情報（パスワードおよび会員ＩＤ）の入力を促す画面を送信し、当該画面を介して入力された会員情報を検証する。
【００４０】
次に、主制御部３１１は、ウエブページの呼び出し元の端末装置へ「在庫入力画面」を送信する（ステップＳ３２）。
次に、主制御部３１１は、当該端末装置から、「在庫入力画面」を介して入力された在庫情報を受信し、この在庫情報を売り注文ＤＢ３３に一旦格納する（ステップＳ３３）。  次に、主制御部３１１は、前記受信した在庫情報を在庫プールデータＤＢ３５に追加することで在庫プールデータＤＢ３５を更新し（ステップＳ３４）、ステップＳ１に戻る。  ステップＳ４１では、ウエブページの呼び出し元の端末装置へ、会員情報（パスワードおよび会員ＩＤ）の入力を促す画面を送信し、当該画面を介して入力された会員情報を検証する。
次に、主制御部３１１は、ウエブページの呼び出し元の端末装置へ「注文入力画面」を送信する（ステップＳ４２）。
次に、主制御部３１１は、当該端末装置から、「注文入力画面」を介して入力された注文情報を受信し、この注文情報を買い注文ＤＢ３４に一旦格納する（ステップＳ４３）。  次に、主制御部３１１は、前記受信した注文情報で売買契約することが可能か否かを検証する（なお、図示は省略するが、前記受信した注文情報では注文を契約できない場合は、当該端末装置へ、その旨のメッセージを送信する）（ステップＳ４４）。
【００４１】
売買契約成立が可能の場合、主制御部３１１は、売買契約を成立させると共に、売買契約手続きを実施する（ステップＳ４５）。なお、この売買契約手続きには、決裁機関端末装置５（図１）への決裁依頼の送信が含まれ、この決裁依頼には、買い手の口座からの販売代金引き落とし依頼および売り手側口座への支払い代金振込依頼が含まれる。
次に、主制御部３１１は、集配業者端末装置４（図１）へ、当該注文された中古部品の集配依頼を送信する（ステップＳ４６）。なお、この集配業者の手配に際しては、主制御部３１１は、当該中古部品の注文主の居住地と、該当中古部品の所有者の居住地とを最短距離で結ぶ業者を選定することができる。
最後に、主制御部３１１は、当該中古部品に関する情報を在庫プールデータＤＢ３５から消し込むことで在庫プールデータＤＢ３５を更新し（ステップＳ４７）、ステップＳ１に戻る。
なお、本発明に係る中古部品流通システムの各構成要素の処理の少なくとも一部をコンピュータ制御により実行するものとし、かつ、上記処理を、図７のフローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ，パーソナルコンピュータ，汎用コンピュータを範疇に含むコンピュータが、上記の記録媒体から上記プログラムを読み出して、実行するものとしてもよい。
また、本発明は、中古部品の流通を基本としているが、所望の中古部品が在庫として存在しない場合もあり得るし、所望の性能を充足しない中古品もあり得るので、その場合には、新品部品を本流通システムに載せることも有り得る。
即ち、中古部品の概念には、新品部品も含まないと解釈すべきでないことを付言する。
【産業上の利用可能性】
【００４２】
本発明は、中古部品流通システムの構築に適用可能であり、特に、自動車等の民生機器に使用されている部品の中古品または新品に関する在庫情報を会員相互間で広域的に交換させる中古部品流通システムの構築に好適である。
【図面の簡単な説明】
【００４３】
【図１】本発明の実施の形態に係る中古部品流通システムの全体構成を示す構成図である。
【図２】本実施形態の中古部品流通システムにおける情報の流れを示す説明図である。
【図３】本発明の実施の形態に係る中古部品流通システムの売り手側端末装置１の一構成例を示す構成図である。
【図４】本発明の実施の形態に係る中古部品流通システムの中古部品サーバ３の一構成例を示す構成図である。
【図５】本発明の実施の形態に係る中古部品流通システムのメニュー画面の一例を示す説明図である。
【図６】本発明の実施の形態に係る中古部品流通システムの在庫情報一覧画面（ＩＯＰ）に表示される在庫情報の一例を示す説明図であり、このうち、図６（ａ）は階層構造を有さない在庫情報の一例、図６（ｂ）は階層構造を有する在庫情報の一例を、それぞれ示すものである。
【図７】本発明の実施の形態に係る中古部品流通システムにおける中古部品流通サーバ３のメニューに対応した動作を示すフローチャート図である。
【符号の説明】
【００４４】
１  売り手側端末装置
２  買い手側端末装置
３  中古部品流通サーバ
４  集配業者端末装置
５  決裁機関端末装置
１０  インターネット網
２０  ＬＡＮ
３２  会員認証情報ＤＢ（データベース）
３３  売り注文ＤＢ
３４  買い注文ＤＢ
３５  在庫プールデータＤＢ
３６  ウェブページＤＢ
３７  集配業者情報ＤＢ
ＩＢ  注文入力画面
ＩＭ  入会手続入力画面
ＩＳ  在庫入力画面
ＭＭ  メニュー画面
ＯＣ  中古部品流通センター
ＢＰ１  買い手１
ＳＰ１  売り手１
ＯＰ１  手持ち中古部品１
ＩＯＰ  在庫情報一覧画面
【図１】
2008203998.tif 000003
【図２】
2008203998.tif 000004
【図３】
2008203998.tif 000005
【図４】
2008203998.tif 000006
【図５】
2008203998.tif 000007
【図６】
2008203998.tif 000008
【図７】
2008203998.tif 000009